(57)【要約】【課題】  図柄変動表示装置の枠体に設けられているステージに排出されるパチンコ球の行く先が瞬時に判別できると共に入賞口に向かう場合にはそのパチンコ球の誘導ができることで期待度を高めて遊技に興趣性を持たせることができる構成を備えた遊技機を提供する。【解決手段】  パチンコ遊技機における図柄変動表示装置２００には、遊技盤３に設けられている取り込み口に進入したパチンコ球の排出部２００Ｃ２と、排出部２００Ｃ２に連続するとともに図柄変動表示装置の表示面を横断する状態で設けられた球樋部２０２と、少なくとも球樋部１０１から落下したパチンコ球を始動入賞口に向けて誘導可能なステージ２０２Ｂとが備えられ、球樋部２０２およびステージ２００Ｂにおけるパチンコ球の誘導部２００Ｃには、球樋部２０２に排出されたパチンコ球により押し動かされることにより誘導部２００Ｃの開閉状態が選択可能な手段２０４が設けられていることを特徴としている。【選択図】  図３
2006180943.tif 000002
【特許請求の範囲】
【請求項１】
パチンコ球を用いる遊技盤の遊技領域に図柄変動表示装置を備えたパチンコ遊技機において、
前記図柄変動表示装置には、パチンコ球を取り込む取り込み口に進入したパチンコ球の排出部と、該排出部に連続するとともに前記図柄変動表示装置の表示面を横断する状態で設けられた球樋部と、少なくとも該球樋部から落下したパチンコ球を始動入賞口に向けて誘導可能なステージとが備えられ、
前記球樋部およびステージにおけるパチンコ球の誘導部には、球樋部に排出されたパチンコ球により押し動かされることにより前記誘導部の開閉状態が選択可能な手段が設けられていることを特徴とするパチンコ遊技機。
【請求項２】
請求項１記載のパチンコ遊技機において、
前記誘導部の開閉状態を選択可能な手段は、前記球樋部に設けられて前記パチンコ球により押し動かされることにより回転可能な回転部材と、該回転部材と同軸上に設けられて前記誘導部に対するパチンコ球の通過部および遮断部とを周方向に沿って複数形成された堰部材とを備えていることを特徴とするパチンコ遊技機。
【請求項３】
請求項２記載のパチンコ遊技機において、
前記回転部材は、周方向に複数の羽根部を備え、該羽部が前記パチンコ球に押し動かされることにより回転可能であり、前記堰部材は該回転部材の回転に連動して前記誘導部に対する前記パチンコ球の進入を許容する部分と遮断する部分とが交互に形成されていることを特徴とするパチンコ遊技機。
【請求項４】
請求項１乃至３のうちの一つに記載のパチンコ遊技機において、
前記誘導部は、前記ステージの平坦状表面とこの面に直角とされて前記始動入賞口近傍の壁面とにそれぞれ開口を有する通路で構成されていることを特徴とするパチンコ遊技機。
【発明の詳細な説明】
【技術分野】
【０００１】
本発明は、遊技機に関し、さらに詳しくは、遊技機の一つであるパチンコ遊技機におけるパチンコ球の誘導機構に関する。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。
【０００３】
パチンコ遊技機においては、遊技盤中央に液晶パネルなどを用いた図柄変動表示装置を設けたものがあり、入賞に応じて抽選状態や抽選結果などの図柄を変動表示することができるようになっている。
ところで、パチンコ遊技機には、遊技盤面に繰り出されたパチンコ球の流下態様に変化を持たせる目的で、図柄変動表示装置の上方から流下するパチンコ球の一部を図柄変動表示装置内に導入し、図柄変動表示装置内に設けられている通過路を経由して図柄変動表示装置の下部に設けてある始動入賞口に導くようにした構成がある（例えば、特許文献１）。
上記特許文献１には、図柄変動表示装置の上方に設けられている飛び込み口に入ったパチンコ球を図柄変動表示装置の枠体における液晶表示面側方に設けられた通路、いわゆる、ワープ通路を介して図柄変動表示装置の枠体の下部で前記通路に連続する平板状のステージに向けて導き、ステージ上で揺動させたうえでステージ中央に形成されている凹部に導くことにより始動入賞口に向かいやすい状態で排出する構成が開示されている。
【０００４】
【特許文献１】特開平９−２７６４８９号公報（段落「０００２」欄）
【発明の開示】
【発明が解決しようとする課題】
【０００５】
上記特許文献１に開示されているような遊技機においては、パチンコ球が単純に流下するだけでなく、流下するパチンコ球の一部、つまり飛び込み口に入ったパチンコ球が一瞬遊技盤面から消え、再度現出した際には図柄変動表示装置の下方に位置する始動入賞口に向けて落下しやすい状態とされることで入賞への期待度を高めることができる。
【０００６】
しかし、図柄変動表示装置の枠体に設けられているステージ上に排出された際には、特許文献１にも開示されているように、平板状の表面に緩やかな傾斜を持たせた構成とすることでステージ上に排出されたパチンコ球が左右に揺動するだけであるので、パチンコ球の動きを追うだけの単純な遊技内容となってしまうのは否めない。
【０００７】
一方、ステージ上には、飛び込み口に入ったパチンコ球だけではなく、枠体の下方に設けられている釘に弾かれて跳ね返ったパチンコ球も存在し、これらのパチンコ球が一斉に揺動し始めると次に排出されるパチンコ球の移動が阻害され、始動入賞口への導入路以外の位置でステージ上から落下してしまう場合がある。このため、ステージに存在するパチンコ球が入賞口へ入るものと落下してしまうものとが瞬時にわからないことにより、遊技者にとってステージ上に存在するパチンコ球が入賞口に全て入るとする期待が徒労に終わる印象を与えやすくなる。換言すれば、ステージ上から入賞口に導かれずに落下してしまうパチンコ球を瞬時に見分けることができれば次のパチンコ球の排出に期待をかけることもできるが、始動入賞口に導かれる球であるかどうかがわかるまでの間の時間が長いと期待はずれとなった場合の落胆が大きく、興趣性が損ねられる虞がある。
【０００８】
本発明の目的は、図柄変動表示装置の枠体に設けられているステージに排出されるパチンコ球の行く先が瞬時に判別できると共に入賞口に向かう場合にはそのパチンコ球の誘導ができることで期待度を高めて遊技に興趣性を持たせることができる構成を備えた遊技機を提供することにある。
【課題を解決するための手段】
【０００９】
請求項１記載の発明は、パチンコ球を用いる遊技盤の遊技領域に図柄変動表示装置を備えたパチンコ遊技機において、前記図柄変動表示装置には、パチンコ球を取り込む取り込み口に進入したパチンコ球の排出部と、該排出部に連続するとともに前記図柄変動表示装置の表示面を横断する状態で設けられた球樋部と、少なくとも該球樋部から落下したパチンコ球を始動入賞口に向けて誘導可能なステージとが備えられ、前記球樋部およびステージにおけるパチンコ球の誘導部には、球樋部に排出されたパチンコ球により押し動かされることにより前記誘導部の開閉状態が選択可能な手段が設けられていることを特徴としている。
【００１０】
請求項２記載の発明は、請求項１記載のパチンコ遊技機において、前記誘導部の開閉状態を選択可能な手段は、前記球樋部に設けられて前記パチンコ球により押し動かされることにより回転可能な回転部材と、該回転部材と同軸上に設けられて前記誘導部に対するパチンコ球の通過部および遮断部とを周方向に沿って複数形成された堰部材とを備えていることを特徴としている。
【００１１】
請求項３記載の発明は、請求項２記載のパチンコ遊技機において、前記回転部材は、周方向に複数の羽根部を備え、該羽部が前記パチンコ球に押し動かされることにより回転可能であり、前記堰部材は該回転部材の回転に連動して前記誘導部に対する前記パチンコ球の進入を許容する部分と遮断する部分とが交互に形成されていることを特徴としている。
【００１２】
請求項４記載の発明は、請求項１乃至３のうちの一つに記載のパチンコ遊技機において、前記誘導部は、前記ステージの平坦状表面とこの面に直角とされて前記始動入賞口近傍の壁面とにそれぞれ開口を有する通路で構成されていることを特徴としている。
【発明の効果】
【００１３】
請求項１および４記載の発明によれば、球樋部およびステージのパチンコ球誘導部には球樋部に排出されたパチンコ球により押し動かされることにより誘導部の開閉状態を選択可能な手段が設けられているので、ステージ上から自然落下により始動入賞口に導入される場合を観察するのと違って、誘導部でのパチンコ球の挙動を注目することができる。これにより、自然落下による始動入賞口への導入を観察するときのような関心に比べて、いわゆる、誘導部を介した強制的な始動入賞口への導入が期待できる点に関心度を高めることができ、遊技の単調性を低減して興趣性を高めることが可能となる。
【００１４】
請求項２記載の発明によれば、誘導部の開閉状態を選択可能な手段として、パチンコ球により押し動かされることで回転する回転部材を駆動部として用い、そして誘導部に対するパチンコ球の通過部と遮断部とを周方向に沿って複数有する堰部材が用いられているので、シャッターなどと違って、特別な駆動源を要することなくパチンコ球の挙動のみで誘導部の開閉状態が設定できる。これにより、構成の複雑化や大げさなものを用いなくても遊技の興趣性を高めることが可能となる。
【００１５】
請求項３記載の発明によれば、回転することによりパチンコ球の進入を許容する部分と遮断する部分とが交互に形成されているので、時系列的な開閉選択と違って、回転部材の回転状態に依存して誘導部の開閉状態が選択されることになるので、誘導部へのパチンコ球の進入状態が得られるまでの間に待たされ続けるようなことをなくすことが可能となる。
【発明を実施するための最良の形態】
【００１６】
以下、図示実施例により本発明を実施するための最良の形態について説明する。
【実施例】
【００１７】
図１は、本実施例によるパチンコ遊技機を示す図である。
図１においてパチンコ遊技機１００は、外郭方形枠サイズに形成されて縦長の固定保持枠を構成する外枠１の開口前面に、外枠１に合わせて方形枠サイズに形成された開閉搭載用の前枠２を備えている。
前枠２は、外枠１の正面左側上下に取り付けられたヒンジ金具３Ａ、３Ｂにより外枠１に対して開閉可能に取り付けられ、さらに、外枠１の正面右側に設けられた施錠装置４によって閉鎖状態に保持されるようになっている。
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて略円形状の遊技領域６が設けられている。
【００１８】
遊技領域６には、略中央部に図柄変動表示装置が設置される窓部で構成された表示部６ａが設けられている。
表示部６ａの周りにはセンター飾り６ｂや始動入賞口６ｃおよび大入賞口６ｄなどがそれぞれ配置されている。遊技領域下部にはアウト球を回収するアウト口も設けられており、始動入賞口や大入賞口に入賞せずに落下したアウト球を遊技盤３の背面側から機外に排出できるようになっている。
【００１９】
また、前枠２の前面上部側には、遊技盤３を視認できるように透明なガラス盤を備えた前扉７が水平方向に開閉可能かつ着脱可能に設けられ、通常は、施錠装置４により閉鎖状態に保持されて遊技盤３の前面を覆っている。
前枠２の前面下部側で前扉７の下方には、球受け皿を構成している一体皿８が、前枠２に開閉支持されている背面板（図示されず）に取り付けられて設けてあり、一体皿８は、図示しない施錠装置により通常、閉鎖状態に保持されている。
一体皿８には、パチンコ球が存在する皿部だけではなく、皿部の正面右側下部に発射ハンドル９が、そして、正面左側下部に灰皿１０等が設けられている。
【００２０】
図２は、図柄変動表示装置の構成を説明するための図であり、同図において図柄変動表示装置２００は、液晶パネルなどの表示体２０１を裏面側から装着されて遊技盤３の表示部６ａから外部に露呈する飾り部２００Ａ１を上面に有した支持枠２００Ａで主要部が構成されており、支持枠２００Ａには、遊技盤３の前面側に露呈する部分、換言すれば、表示体２０１の前面側にパチンコ球の交流空間２００Ａ２が形成されている。
【００２１】
交流空間２００Ａ２の底面に相当する位置は、平板状のステージ２００Ｂとして用いられるようになっており、ステージ２００Ｂは、中央部が遊技盤３の表面側に向けて緩く傾斜してパチンコ球が始動入賞口６ｃ（図１参照）に向けて落下しやすい誘導面２００Ｂ１が形成され、その表面とこの表面に直角な壁面、つまり、始動入賞口６ｃが設けられている側の面との間には各面に開口を有する誘導部２００Ｃが設けられている。
誘導部２００Ｃにおける始動入賞口６ｃが設けられている側の面には、図１において符号２００Ｃ１で示すように、誘導部２００Ｃにおける開口の一方が始動入賞口６ｃの上方に形成されており、この開口２００Ｃ１からのパチンコ球は始動入賞口６ｃへの導入が行われやすくなっていることにより始動入賞口６ｃへの導入確率が高くなっている。
【００２２】
交流空間２００Ａ２の両側面に相当する位置には、ステージ２００Ｃの上方に排出部であるワープ出口２００Ｃ２が形成されており（図２では、片側のみが示されている）、ワープ出口２００Ｃ２間には、表示体２０１を横断する状態で球樋部２０２が橋渡された状態で設けられている。
ワープ出口２００Ｃ２は、例えば、遊技盤３の上方部に設けてある取り込み口に入ったパチンコ球を、図示しないが、支持枠２００Ａの側部に設けられた通路を介して排出する部分であり、いわゆる、パチンコ球が図柄変動表示装置２００の占有スペースにより流下を妨げられて始動入賞口６ｃへの導入確率が低下するのを回避するために利用される部分である。
【００２３】
球樋部２０２は、ステージ２００Ｂよりも狭幅の部材で構成され、ワープ出口２００Ｃ２から排出されたパチンコ球を中央部に寄せ動かす部分に相当しており、中央部には、周方向に複数の羽根部を有して回転自在の回転部材２０３が設けられている。
回転部材２０３は、球樋部２０２を移動するパチンコ球が羽根部に突き当たることで押し動かされて回転することができ、この回転に応じて同軸上に設けられて誘導部２００Ｃの開口を選択的に開閉する手段に相当する堰部材２０４を回転させることができる。
【００２４】
堰部材２０４は、図３および図４に示すように、回転部材２０３と同軸上に設けられると共に、ステージ２００Ｂに形成されている誘導路２００Ｃの開口に臨むことができる位置に配置された回転可能な筒部材であり、その周方向には、壁面の一部が切り削がれてパチンコ球の進入を許容するパチンコ球の通過部２０４Ａと壁面を残したままの遮断部２０４Ｂとが交互に複数箇所に形成されている。
【００２５】
堰部材２０４は、回転部材２０３がパチンコ球によって押し動かされることにより回転すると、パチンコ球の通過部２０４Ａと遮断部２０４Ｂとの向きを変化させることができる。このため、ステージ２００Ｂ上に存在するパチンコ球が堰部材２０４における通過部２０４Ａ内に進入すると、誘導路２００Ｃを介して始動入賞口６ｃの直上に排出されることになることから、単にステージ２００Ｂの誘導面２００Ｂ１から始動入賞口６ｃ側に向けて落下する場合に比べて始動入賞口６ｃへの導入確率が高められることになる。
【００２６】
本実施例は以上のような構成であるから、ワープ出口２００Ｃ２から排出されたパチンコ球は、球樋部２０２上を転動しながら回転部材２０３に達して回転部材２０３を押し動かすものと球樋部２０２から落下してステージ２００Ｂ上に達するものとがある。
球樋部２０２上を転動するパチンコ球が突き当たることで押し動かされる回転部材２０３は、回転するとこれに連動する堰部材２０４を回転させて通過部２０４Ａおよび遮断部２０４Ｂの向きを変えることになる。
通過部２０４Ａは、図４に示すように、ステージ２００Ｂの長手方向に対面する向きとなると、ステージ２００Ｂ上をその長手方向に揺動しながら誘導面２００Ｂ１に向かうパチンコ球の進入度が高まり、また、図３に示すように、遮断部２０４Ｂがステージ２００Ｂの長手方向に対面する向きとなると、ステージ２００Ｂの誘導面２００Ｂ１に向かうパチンコ球の進入度が低くなる。
【００２７】
遊技者は、ワープ出口２００Ｃ２から排出されたパチンコ球が単にステージ２００Ｂ上に落下して誘導面２００Ｂ１に達するのを視認するだけでなく、回転部材２０３の回転状態によって堰部材２０４における通過部２０４Ａの向きがどうなるかに興味を持つことができ、しかもその状態を堰部材２０４の向きによって瞬時に予想することができ、ステージ２００Ｂの長手方向に対面する向きとなった場合には始動入賞口６ｃへの導入確率が高まることを期待することができる。これにより、単にステージ２００Ｂ上でのパチンコ球の挙動に関心を持つだけでなく、始動入賞口６ｃへの導入確率に影響する回転部材２０３および堰部材２０４の回転状態に注目することができるので、遊技自体が単調とならず、興趣性を高めることができる。なお、ステージ２００Ｂ上で移動するパチンコ球は、球樋部２０２から落下したものだけでなく、ステージ２００Ｂの下方近傍に配置されて始動入賞口６ｃへの誘導を行うための導釘で弾かれて跳ね返ったものも含まれることもちろんである。
【図面の簡単な説明】
【００２８】
【図１】本発明実施例によるパチンコ遊技機の正面図である。
【図２】本発明実施例の要部構成である図柄変動表示装置の要部構成を示す斜視図である。
【図３】図２に示した図柄変動表示装置におけるステージ部に用いられる堰部材の一態様を示す斜視図である。
【図４】図２に示した図柄変動表示装置におけるステージ部に用いられる堰部材の他の態様を示す斜視図である。
【符号の説明】
【００２９】
１００              パチンコ遊技機
６                  表示領域
６ａ                表示部
６ｃ                始動入賞口
２００              図柄変動表示装置
２０１              液晶パネル
２００Ａ            支持枠
２００Ｂ            ステージ
２００Ｃ            誘導部
２００Ｃ１          誘導路の開口の一つ
２０２              球樋部
２０３              回転部材
２０４              堰部材
２０４Ａ            通過部
２０４Ｂ            遮断部
【図１】
2006180943.tif 000003
【図２】
2006180943.tif 000004
【図３】
2006180943.tif 000005
【図４】
2006180943.tif 000006